(57)【要約】【課題】  小エリア毎の防災情報を提供する際に、非音声データ送信用の帯域を広げ、全体的なデータ通信速度を上げることができる防災無線同報システムを提供する。  【解決手段】防災無線同報システム１００は、防災情報及び音声に小エリアを示すエリアＩＤを付与するエリアＩＤ付与手段１５ｂと、防災情報及び音声の送信先を判断するエリアＩＤ判断手段２５ｂと、音声送信有りを示す識別子及び音声を備える音声データを作成する音声データ作成手段と、音声送信無しを示す識別子及び防災情報を備える非音声データを作成する非音声データ作成手段と、エリアＩＤを基に自装置宛に送信されたことを判断するエリアＩＤ判断手段と、音声送信有りを示す識別子を確認して音声データを再生する音声データ再生手段と、音声送信無しを示す識別子を確認して非音声データを再生する非音声データ再生手段とを備える。【選択図】      図１
2009224953.tif 000002
【特許請求の範囲】
【請求項１】
防災情報を対象地域に対して通知する防災無線同報システムであって、
前記防災情報を収集する防災情報収集サーバと、
前記防災情報に関する音声を作成する音声送信部と、
前記防災情報及び前記音声を取得し、前記対象地域の小エリア毎に提供すべき防災情報及び音声を分別し、分別された前記防災情報及び前記音声に前記小エリアを示すエリアＩＤを付与するエリアＩＤ付与手段と、
前記エリアＩＤを基に、前記防災情報及び前記音声の送信先を判断するエリアＩＤ判断手段と、
前記音声を、音声送信有りを示す識別子及び前記音声を備える音声データとして作成する音声データ作成手段と、
前記防災情報を、音声送信無しを示す識別子及び前記防災情報を備える非音声データとして作成する非音声データ作成手段と、
前記音声データ又は前記非音声データを取得し、前記音声データ又は前記非音声データに付与されている前記エリアＩＤを基に、自装置宛に送信された音声データ又は非音声データであることを判断するエリアＩＤ判断手段と、
前記エリアＩＤ判断手段に自装置宛に送信されたと判断され、前記音声データ内にて前記音声送信有りを示す識別子が確認されると、前記音声データを再生する音声データ再生手段と、
前記エリアＩＤ判断手段に自装置宛に送信されたと判断され、前記非音声データ内にて前記音声送信無しを示す識別子が確認されると、前記非音声データを再生する非音声データ再生手段
とを備えることを特徴とする防災無線同報システム。
【請求項２】
防災情報を対象地域に対して通知する防災無線同報方法であって、
前記防災情報を収集するステップと、
前記防災情報に関する音声を作成するステップと、
前記防災情報及び前記音声を取得し、前記対象地域の小エリア毎に提供すべき防災情報及び音声を分別し、分別された前記防災情報及び前記音声に前記小エリアを示すエリアＩＤを付与するステップと、
前記エリアＩＤを基に、前記防災情報及び前記音声の送信先を判断するステップと、
前記音声を、音声送信有りを示す識別子及び前記音声を備える音声データとして作成するステップと、
前記防災情報を、音声送信無しを示す識別子及び前記防災情報を備える非音声データとして作成するステップと、
前記音声データ又は前記非音声データを取得し、前記音声データ又は前記非音声データに付与されている前記エリアＩＤを基に、自装置宛に送信された音声データ又は非音声データであることを判断するステップと、
前記判断するステップにて自装置宛に送信されたと判断され、前記音声データ内にて前記音声送信有りを示す識別子が確認されると、前記音声データを再生するステップと、
前記判断するステップにて自装置宛に送信されたと判断され、前記非音声データ内にて前記音声送信無しを示す識別子が確認されると、前記非音声データを再生するステップ
とを備えることを特徴とする防災無線同報方法。
【発明の詳細な説明】
【技術分野】
【０００１】
本発明は、小エリア毎に防災情報を提供し、送受信する防災情報のデータ通信速度を上げることが可能な防災無線同報システム及び防災無線同報方法に関する。
【背景技術】
【０００２】
防災無線のデジタル化に伴い、地域に密着した災害防災情報を提供するデジタルの無線システムが広がっていくと予想される。
【０００３】
デジタル地域防災無線システムとして、同報通信のためのサーバを必要とせずに、複数の端末に対し短時間でメッセージ情報を伝達するシステムが開示されている。このシステムでは、それぞれにグループ番号を割り当てられた複数の端末と、これら端末と無線で接続された複数の基地局無線装置とを備え、各端末が、入力したメッセージ情報をデジタルデータに変換して自己のグループ番号を付与して送信し、受信した信号からグループ番号を抽出して自己のグループ番号と照合し、自己のグループ番号である場合には受信したメッセージ情報を文字情報宇に変換して表示部に表示する（特許文献１参照。）。
【特許文献１】特開２００１−１８９７０４号公報
【発明の開示】
【発明が解決しようとする課題】
【０００４】
しかしながら、特許文献１に記載のシステム及び一般的な災害防災情報の提供においては、音声データとそれ以外のデータ（例えばテキストデータ、画像データ及び映像データ等を指す。以下「非音声データ」と記載する。）の通信領域が固定であったため、音声データが優先され非音声データの通信領域が少ないという問題点があった。
【０００５】
本発明は、上記の問題点に鑑みてなされたものであり、小さいエリア毎の防災情報を提供する際に、非音声データの通信速度を上げることができる防災無線同報システム及び防災無線同報方法を提供することを目的とする。
【課題を解決するための手段】
【０００６】
上記の問題点を鑑みて、本発明の第１の特徴は、(イ)防災情報を対象地域に対して通知する防災無線同報システムであって、防災情報を収集する防災情報収集サーバと、（ロ）防災情報に関する音声を作成する音声送信部と、（ハ）防災情報及び音声を取得し、対象地域の小エリア毎に提供すべき防災情報及び音声を分別し、分別された防災情報及び音声に小エリアを示すエリアＩＤを付与するエリアＩＤ付与手段と、（ニ）エリアＩＤを基に、防災情報及び音声の送信先を判断するエリアＩＤ判断手段と、（ホ）音声を、音声送信有りを示す識別子及び音声を備える音声データとして作成する音声データ作成手段と、（ヘ）防災情報を、音声送信無しを示す識別子及び防災情報を備える非音声データとして作成する非音声データ作成手段と、（ト）音声データ又は非音声データを取得し、音声データ又は非音声データに付与されているエリアＩＤを基に、自装置宛に送信された音声データ又は非音声データであることを判断するエリアＩＤ判断手段と、（チ）エリアＩＤ判断手段に自装置宛に送信されたと判断され、音声データ内にて音声送信有りを示す識別子が確認されると、音声データを再生する音声データ再生手段と、（リ）エリアＩＤ判断手段に自装置宛に送信されたと判断され、非音声データ内にて音声送信無しを示す識別子が確認されると、非音声データを再生する非音声データ再生手段とを備える防災無線同報システムであることを要旨とする。
【０００７】
本発明の第２の特徴は、(イ)防災情報を対象地域に対して通知する防災無線同報方法であって、防災情報を収集するステップと、（ロ）防災情報に関する音声を作成するステップと、（ハ）防災情報及び音声を取得し、対象地域の小エリア毎に提供すべき防災情報及び音声を分別し、分別された防災情報及び音声に小エリアを示すエリアＩＤを付与するステップと、（ニ）エリアＩＤを基に、防災情報及び音声の送信先を判断するステップと、（ホ）音声を、音声送信有りを示す識別子及び音声を備える音声データとして作成するステップと、（ヘ）防災情報を、音声送信無しを示す識別子及び防災情報を備える非音声データとして作成するステップと、（ト）音声データ又は非音声データを取得し、音声データ又は非音声データに付与されているエリアＩＤを基に、自装置宛に送信された音声データ又は非音声データであることを判断するステップと、（チ）判断するステップにて自装置宛に送信されたと判断され、音声データ内にて音声送信有りを示す識別子が確認されると、音声データを再生するステップと、（リ）判断するステップにて自装置宛に送信されたと判断され、非音声データ内にて音声送信無しを示す識別子が確認されると、非音声データを再生するステップとを備える防災無線同報方法であることを要旨とする。
【発明の効果】
【０００８】
本発明の防災無線同報システム及び防災無線同報方法によると、小さいエリア毎の防災情報を提供する際に、固定されていた非音声データの通信領域を変動し、帯域を広げ、全体的なデータ通信速度を上げることができる。
【発明を実施するための最良の形態】
【０００９】
以下、本発明の実施の形態に係る防災無線同報システムについて説明する。尚、本発明の実施の形態において使用される機器、手法等は一例であり、本発明はこれらに限定されるものではないことは勿論である。
【００１０】
（防災無線同報システム）
本発明の実施の形態に係る防災無線同報システム１００は、収集した防災情報を、その防災情報を必要とする小エリアに的確に送信し、且つそのデータ通信速度を上げる為のシステムであり、図１に示すように、防災情報収集サーバ１、提供サーバ２、撮影カメラ３、音声送信部４、上位中継局５、下位中継局６ａ，６ｂ、各エリア毎に設置される小局７ａ，７ｂ，７ｃ，７ｄ，７ｅ，７ｆ等を備えている。各小局７ａ〜７ｆには、各エリアを識別する為のエリアＩＤが付与されている。例えば図１に示すように、小局７ａ,７ｂにはエリアＩＤ：１、小局７ｃ,７ｄにはエリアＩＤ：２、小局７ｅ,７ｆにはエリアＩＤ：３等のように付与する。
【００１１】
防災情報収集サーバ１は、撮影カメラ３から送信される道路・河川の映像、及び河川の水位データや道路の凍結情報等の防災情報を収集する。
【００１２】
音声送信部４は、小エリア毎に送信すべき音声データを作成し、提供サーバ２に送信する。
【００１３】
提供サーバ２は、小エリア毎に適した防災情報及び音声データを提供するために、各防災情報及び音声データに提供すべきエリアのエリアＩＤを付与するサーバであり、図２に示すように入力装置１１、出力装置１２、通信インタフェース１３、通信制御装置１４、中央処理制御装置（以下「ＣＰＵ」と記載）１５、エリアＩＤ記憶部１６等を備える。ＣＰＵ１５は、データ受信手段１５ａ、エリアＩＤ付与手段１５ｂ及びデータ送信手段１５ｃを備える。
【００１４】
データ受信手段１５ａは、防災情報収集サーバ１が収集した防災情報及び音声送信部４が作成した音声データを受信する。エリアＩＤ付与手段１５ｂは、受信した防災情報及び音声データを分別し、各エリア毎に提供すべきエリア毎の防災情報及び音声データを作成する。エリア毎防災情報及び音声データには、送信先のエリアを示すエリアＩＤを図３に示すように付与する。データ送信手段１５ｃは、エリアＩＤが付与されたエリア毎防災情報及び音声データを上位中継局５に送信する。尚、音声送信部４が自ら音声データにエリアＩＤを付与し、上位中継局５に直接送信しても構わない。
【００１５】
入力装置１１は、キーボード、マウス、又はハードディスク等の外部記憶装置からの入力信号を受信するインタフェースである。出力装置１２は、処理結果等を出力するための装置であり、具体的には液晶ディスプレイ、ＣＲＴディスプレイ、プリンタ等を指す。通信インタフェース１３は、外部の装置間においてデータを送受信するための装置である。通信制御装置１４は、外部の装置間においてデータを送受信する為の制御信号を生成する。
【００１６】
上位中継局５は、エリアＩＤが付与された防災情報又は音声データを、非音声データ通信用又は音声データ通信用の領域に挿入し、タイムスロットに合わせて、複数存在する下位中継局に送信する。上位中継局５は、図４に示すように入力装置２１、出力装置２２、通信インタフェース２３、通信制御装置２４及びＣＰＵ２５等を備える。ＣＰＵ２５は、データ受信手段２５ａ、エリアＩＤ判断手段２５ｂ、音声データ作成手段２５ｃ、非音声データ作成手段２５ｄ及びデータ送信手段２５ｅを備える。
【００１７】
データ受信手段２５ａは、提供サーバ２よりエリアＩＤが付与されたエリア毎防災情報及び音声データを受信する。エリアＩＤ判断手段２５ｂは、エリアＩＤを基に、エリア毎防災情報及び音声データを送信すべき下位中継局６ａ,６ｂを判断する。
【００１８】
音声データ作成手段２５ｃは、音声データ送信の際に、音声送信有りを示す識別子、例えばビット「１」を音声データの先頭に付与し、所定領域に音声データを挿入する。非音声データ作成手段２５ｄは、非音声データ送信の際に、音声送信無しを示す識別子、例えばビット「０」を非音声データの先頭に付与し、所定領域に非音声データを挿入する。
【００１９】
データ送信手段２５ｅは、各下位中継局６ａ，６ｂのタイムスロットに合わせて、各下位中継局６ａ，６ｂ宛に音声データ又は非音声データ送信する。
【００２０】
ここで上位中継局５が送信する音声データ及び非音声データについて説明する。通常上位及び下位中継局間のタイムスロットは図５に示すようになっており、各タイムスロット内の殆どは音声データ領域であり、その数分の一が非音声データ領域となっている。この為、非音声データのみを送信したいときには非常に通信効率が悪い。そこで本発明の実施の形態では、各下位中継局６ａ，６ｂの一タイムスロットで送信するデータ領域を、図６に示す様に、エリアＩＤ領域、音声送信有無を示す識別子領域及びデータ領域（音声データ又は非音声データの領域）とに分けて構成した。音声データ領域の構成では、図７に示すように、「音声送信有り領域（ビット１）」「音声データ領域」「非音声データ領域」の三種類の領域が使用される。この音声データ構成は、通常送信する音声データの先頭に１を付与したものであり、音声データ領域には音声送信部４から送信された音声データが挿入される。非音声データ領域の構成では、図８に示すように、「音声送信無し領域（ビット０）」「非音声データ領域」の二種類の領域が使用される。非音声データ領域には、防災情報収集サーバ１から送信された非音声データが挿入される。この非音声データ領域の構成では、音声送信無し領域以外の領域全てで非音声データを送信する為、音声データが従来の数倍の通信効率で送信できる。尚、その他の装置は図２と同様である為説明を省略する。
【００２１】
下位中継局６ａ，６ｂは、上位中継局５に対して複数存在し、上位中継局５から各小局７ａ〜７ｆに対して音声データ又は非音声データを転送する。下位中継局６ａ，６ｂは、図９に示すように、入力装置３１、出力装置３２、通信インタフェース３３、通信制御装置３４及びＣＰＵ３５等を備える。ＣＰＵ３５は、データ受信手段３５ａ、エリアＩＤ判断手段３５ｂ及びデータ送信手段３５ｃを備える。
【００２２】
データ受信手段３５ａは、上位中継局５から自装置宛のタイムスロット毎に音声データ又は非音声データを受信し抽出する。
【００２３】
エリアＩＤ判断手段３５ｂは、音声データ又は非音声データを取得し、音声データ又は非音声データに付与されているエリアＩＤを基に、自装置宛に送信された音声データ又は非音声データであることを判断する。自装置宛である場合、エリアＩＤ判断手段３５ｂは、エリアＩＤを基に、受信した音声データ又は非音声データをどこの小局７ａ〜７ｆに送信するか判断する。
【００２４】
データ送信手段３５ｃは、エリアＩＤ判断手段３５ｂが決定した小局に対し、受信した音声データ又は非音声データを送信する。尚、その他の装置は図２と同様である為説明を省略する。
【００２５】
小局７ａ〜７ｆは、学校、公民館、地域専用スピーカ、各家庭等の防災情報を受ける側の人々が存在する場所に設置される、スピーカ、ＦＡＸ、パーソナルコンピュータ等の防災情報受信再生装置を備える。小局７ａ〜７ｆ（防災情報受信再生装置）は、図１０に示すように、入力装置４１、出力装置４２、通信インタフェース４３、通信制御装置４４及びＣＰＵ４５等を備える。ＣＰＵ４５は、データ受信手段４５ａ、エリアＩＤ判断手段４５ｂ、音声データ再生手段４５ｃ及び非音声データ再生手段４５ｄを備える。
【００２６】
出力装置４２は音声データを再生するためのスピーカ、非音声データを再生する為のファクシミリ，パーソナルコンピュータ，映像再生装置等を指す。尚、音声データ及び非音声データ再生機能を有する携帯電話，ＰＤＡ等であってもよい。
【００２７】
データ受信手段４５ａは、下位中継局６ａ，６ｂから送信される音声データ又は非音声データを受信する。
【００２８】
エリアＩＤ判断手段４５ｂは、受信した音声データ又は非音声データに付加されているエリアＩＤを基に、自装置宛に送信された音声データ又は非音声データであることを判断する。
【００２９】
音声データ再生手段４５ｃは、エリアＩＤ判断手段３５ｂに自装置宛に送信されたと判断され、音声データ内にて音声送信有りを示す識別子が確認されると、音声データを再生する。具体的に音声データ再生手段４５ｃは、音声送信有無領域を読みとり、ビット１（音声データ）であれば受信し、音声データを再生処理し、出力装置４２に送信する。
【００３０】
非音声データ再生手段４５ｄは、エリアＩＤ判断手段３５ｂに自装置宛に送信されたと判断され、非音声データ内にて音声送信無しを示す識別子が確認されると、非音声データを再生する。具体的に非音声データ再生手段４５ｄは、音声送信有無領域を読みとり、ビット０（非音声データ）であれば受信し、非音声データを再生処理し、出力装置４２に送信する。尚、その他の装置は図２と同様である為説明を省略する。
【００３１】
（防災無線同報方法）
次に、防災無線同報システム１００の動作について図１１のフロー図を参照して説明する。
【００３２】
（ａ）先ず、ステップＳ１０１において、防災情報収集サーバ１が、撮影カメラ３から送信される道路・河川の映像、及び河川の水位データや道路の凍結情報等の防災情報を収集する。又、音声送信部４が、小エリア毎に送信すべき防災情報に関する音声データ、例えば、洪水で堤防が破壊されたので近隣住民を体育館へ非難するように促す等の危険を知らせるための音声データを作成する。防災情報及び音声データは提供サーバ２に送信される。
【００３３】
（ｂ）ステップＳ１０２において、提供サーバ２のデータ受信手段１５ａが防災情報収集サーバ１が収集した防災情報及び音声送信部４が作成した音声データを受信すると、エリアＩＤ付与手段１５ｂは、受信した防災情報及び音声データを分別し、各エリア毎に提供すべきエリア毎の防災情報及び音声データを作成し、作成されたデータに送信先のエリアを示すエリアＩＤを付与する。データ送信手段１５ｃは、エリアＩＤが付与されたエリア毎防災情報及び音声データを上位中継局５に送信する。
【００３４】
（ｃ）ステップＳ１０３において、上位中継局５のデータ受信手段２５ａが、提供サーバ２よりエリアＩＤが付与されたエリア毎防災情報及び音声データを受信すると、エリアＩＤ判断手段２５ｂは、エリアＩＤを基に、エリア毎防災情報及び音声データを送信すべき下位中継局６ａ,６ｂを判断する。更に音声データ作成手段２５ｃは、受信したのが音声データであった場合、音声送信有りを示すビット、例えば「１」を音声データの先頭に付与し、所定領域に音声データを挿入して音声データを作成する。非音声データ作成手段２５ｄは、受信したのが非音声データであった場合、音声送信無しを示すビット、例えば「０」を非音声データの先頭に付与し、所定領域に非音声データを挿入して非音声データを作成する。データ送信手段２５ｅは、各下位中継局６ａ，６ｂのタイムスロットに合わせて、エリアＩＤ対象の下位中継局６ａ，６ｂ宛に、作成された音声データ又は非音声データ送信する。
【００３５】
（ｄ）ステップＳ１０４において、下位中継局６ａ，６ｂのデータ受信手段３５ａが、上位中継局５から自装置宛のタイムスロット毎に音声データ又は非音声データを受信すると、エリアＩＤ判断手段３５ｂは、エリアＩＤを基に、受信した音声データ又は非音声データをどこの小局７ａ〜７ｆに送信するか判断する。データ送信手段３５ｃは、エリアＩＤ判断手段３５ｂが決定した小局に対し、受信した音声データ又は非音声データを送信する。
【００３６】
（ｅ）ステップＳ１０５において、小局７ｂ〜７ｆのデータ受信手段４５ａが、下位中継局６ａ，６ｂから送信される音声データ又は非音声データを受信すると、エリアＩＤ判断手段４５ｂは、受信した音声データ又は非音声データに付加されているエリアＩＤを基に、自装置宛に送信された音声データ又は非音声データであることを判断する。自装置宛に送信された音声データ又は非音声データであると判断されると、音声データ再生手段４５ｃが、音声送信有無領域を読みとり、ビット１（音声データ）であれば音声データを再生処理して出力装置４２に送信する。又、非音声データ再生手段４５ｄが、音声送信有無領域を読みとり、ビット０（非音声データ）であれば非音声データを再生処理し、出力装置４２に送信する。出力装置４２は音声データを再生するためのスピーカ、非音声データを再生する為のファクシミリ，パーソナルコンピュータ，映像再生装置等であり、送信された音声データ又は非音声データを再生する。
【００３７】
本発明の実施の形態によると、エリア毎の防災情報を提供する際に、各データにエリアＩＤを付与し、且つ、非音声データの送信領域を変動させて非音声データ送信用の帯域を広げる為、全体的なデータ通信速度を上げることができる。
【図面の簡単な説明】
【００３８】
【図１】本発明の実施の形態に係る防災無線同報システムの構成を示す図である。
【図２】提供サーバの内部構成を示す図である。
【図３】防災情報の送信データのフォーマットを示す図である。
【図４】上位中継局の内部構成を示す図である。
【図５】中継局間のタイムスロット構成を示す図である。
【図６】一タイムスロット内のデータ領域構成を示す図である。
【図７】音声データのデータ構成を示す図である。
【図８】非音声データのデータ構成を示す図である。
【図９】下位中継局の内部構成を示す図である。
【図１０】小局の内部構成を示す図である。
【図１１】防災無線同報システムの動作を示すフロー図である。
【符号の説明】
【００３９】
１…防災情報収集サーバ
１…防災情報収集システム
２…提供サーバ
３…撮影カメラ
４…音声送信部
５…上位中継局
６ａ，６ｂ…下位中継局
７ａ，７ｂ，７ｃ，７ｄ，７ｅ，７ｆ…小局
１１…入力装置
１２…出力装置
１３…通信インタフェース
１４…通信制御装置
１５…ＣＰＵ
１５ａ…データ受信手段
１５ｂ…付与手段
１５ｃ…データ送信手段
１６…記憶部
２１…入力装置
２２…出力装置
２３…通信インタフェース
２４…通信制御装置
２５…ＣＰＵ
２５ａ…データ受信手段
２５ｂ…判断手段
２５ｃ…音声データ作成手段
２５ｄ…非音声データ作成手段
２５ｅ…データ送信手段
３１…入力装置
３２…出力装置
３３…通信インタフェース
３４…通信制御装置
３５…ＣＰＵ
３５ａ…データ受信手段
３５ｂ…判断手段
３５ｃ…データ送信手段
４１…入力装置
４２…出力装置
４３…通信インタフェース
４４…通信制御装置
４５…ＣＰＵ
４５ａ…データ受信手段
４５ｂ…判断手段
４５ｃ…音声データ再生手段
４５ｄ…非音声データ再生手段
１００…防災無線同報システム
【図１】
2009224953.tif 000003
【図２】
2009224953.tif 000004
【図３】
2009224953.tif 000005
【図４】
2009224953.tif 000006
【図５】
2009224953.tif 000007
【図６】
2009224953.tif 000008
【図７】
2009224953.tif 000009
【図８】
2009224953.tif 000010
【図９】
2009224953.tif 000011
【図１０】
2009224953.tif 000012
【図１１】
2009224953.tif 000013